(57)【要約】 【目的】  電子機器の様々な実装計画（順序）に合わせて、当初より整然とした効率良い給電システムを柔軟に構築可能なことを課題とする。【構成】  自ブロック下面のプラグ２２で受けた複数系統の主電源ラインを上面のソケット２１に導くと共に、該主電源ラインを自ブロック後面のソケット２７に導く主幹導体ブロック２０と、自ブロック前面のプラグ３３で受けた主電源ラインの一部を後面のソケット３４に導くと共に、所定の電源ラインを自ブロック側面のアウトレット端子に導くアウトレットブロック３０と、自ブロック前面のプラグ４３に所定の回路機能を実現するための回路素子又は回路を接続した機能ブロック４０とを備え、複数の主幹導体ブロック２０をラック上方向に順次連結すると共に、任意の主幹導体ブロック２０の後面よりアウトレットブロック３０及び機能ブロックを順次連結して、対応段のラック搭載機器に給電可能に構成した。【選択図】    図２
2005184993.tif 000002
【特許請求の範囲】
【請求項１】
自ブロック下面のプラグで受けた複数系統の主電源ラインを自ブロック上面のソケットに導くと共に、該主電源ラインを自ブロック後面のソケットに導く主幹導体ブロックと、
自ブロック前面のプラグで受けた主電源ラインの一部を自ブロック後面のソケットに導くと共に、自ブロック後面の他のソケット及び自ブロック前面の他のプラグからの電源ラインを自ブロック側面のアウトレット端子に導くアウトレットブロックと、
自ブロック前面のプラグに所定の回路機能を実現するための回路素子又は回路を接続した機能ブロックとを備え、
複数の主幹導体ブロックをラック上方向に順次連結すると共に、その内の任意の主幹導体ブロックの後面よりアウトレットブロック及び機能ブロックを順次連結して、対応する段のラック搭載機器に給電可能に構成したことを特徴とする複数電源供給方式。
【請求項２】
主幹導体ブロックは、ラック標準規格の基準高さ１Ｕ（４４．４５ｍｍ）を単位とする任意整数倍の高さを有することを特徴とする請求項１記載の複数電源供給方式。
【請求項３】
アウトレットブロックは、自ブロック前面のプラグで受けた主電源ラインの一部を自ブロック後面のソケットに導くと共に、自ブロック後面の他のソケット及び自ブロック前面の他のプラグからの電源ラインを自ブロック側面の第１の端子に導く本体部と、アウトレット端子の電源ラインを自ブロック背面の第２の端子に導くアウトレット部とを備え、前記本体部とアウトレット部とが第１，第２の端子間のバネ接触を介して着脱自在に構成されていることを特徴とする請求項１記載の複数電源供給方式。
【請求項４】
機能ブロックは、アウトレットブロックの主電源ラインとアウトレット端子間に過電流遮断器を挿入する過電流遮断ブロックであることを特徴とする請求項１記載の複数電源供給方式。
【請求項５】
機能ブロックは、アウトレットブロックのグランドラインの接続を変更するグランド回路ブロックであることを特徴とする請求項１記載の複数電源供給方式。
【発明の詳細な説明】
【技術分野】
【０００１】
本発明は複数電源供給方式に関し、更に詳しくは、ルータ等の複数のラック搭載機器に給電するため複数電源供給方式に関する。
【０００２】
昨今、ＩＤＣ(Internet Data Center)等の顧客の重要なデータやサーバを保管/管理する業種の装置では、高水準の信頼性の維持が要求されており、ビルの定期点検による停電すら許されない等、電源供給には特殊な信頼条件が要求されている。また、地球環境への配慮により、エネルギー変換効率の向上を狙った直流電源入力方式への流れが加速し、ネットワークシステム供給者は従来の交流電源入力装置や複数電源対応機を混載して１ラックに集積して搭載する必要に迫られている。
【背景技術】
【０００３】
従来は、ラックに複数の通信機器を搭載する場合、予め想定される通信機器に応じたバスバー等を搭載可能最大公約数的に準備したり、通信機器の増設毎に新たな電源工事を行っていた。また、市販のテーブルタップによる蛸足配線や電源ケーブルとネットワークケーブルの混合配線が多く用いられていた。
【０００４】
しかし、導入初期から最大構成を考慮した必要以上に長い幹線バーや予備のアウトレット、ブレーカ迄の一式を用意する必要があり、イニシャルコストが大きくなる。また、需要の急激な変化等の予測外れにより幹線バー長の不足等が生じた場合は総取替えが必要となり柔軟性に欠けていた。また、各ラック搭載機器には電源ユニットや最寄のコンセントやテーブルタップ等からケーブル接続する必要があるため、ラック内に多数のケーブル配線領域確保が必要となり、スペース効率が低下していた。
【０００５】
また、ラック搭載機器本体に電源スイッチが実装されていないものや、装着されていても操作しずらい位置にあるものも多く、個別に電源切断したい場合に対応できない。また直流電源の安定供給には交流にはない技術的配慮が必要であり、市販のテーブルタップ等の簡易配線では必要特性を満足できない等、総合的な専門知識を要すなど、煩わしさが伴っていた。また電源系とデータ信号系ケーブルの混合配線による機器の誤作動等、機器の導入撤去時のトラブル発生確率を拡大させてしまうおそれが多分にあった。  
【０００６】
係る状況の下で、従来は、一部特定の栓刃挿入部に挿込んだ電気機器のデータが消去されないことを課題として、電源コンセント用ケース本体１内に併設した複数の栓刃挿入部２、２の間にノンヒューズブレーカ６を接続した安全装置付コンセントが知られている（特許文献１）。
【０００７】
また、従来は、絶縁筐体の対向面に設けた各一対の電源用差込み標準刃２，３及びコンセント標準刃受け８，９と、側面に穿設された一対の多目的コンセント刃受４，５であって、一方の電源ラインにスイッチ、ヒューズ、電流測定・チェック回路又は電力調整回路等を挿入可能とした多目的コネクタが知られている（特許文献２）。
【０００８】
また、従来は、絶縁材ベース体２に、幹線バー機能部分と電線ターミナルを有するブレーカ機能部分とを一体的に埋設固定した主幹ブレーカ１８を、コンセントとプラグの結合を利用して幹線バー機能部分を直列接続すると共に、分岐ブレーカ１１を縦列結合して分電盤を構成し、幹線バー機能部分とブレーカ機能部分とを一対一対応関係で取り扱うことにより、ブレーカの増設が自在であると共に、省コスト、省スペースな分岐ブレーカ及び分電盤が知られている（特許文献３）。
【特許文献１】特開平１１−２６５７６０号公報（要約，図）。
【特許文献２】実用新案登録第３００７６１７号公報（要約，図）。
【特許文献３】特開２０００−４１３１１号公報（要約，図）。
【発明の開示】
【発明が解決しようとする課題】
【０００９】
しかし、上記特許文献２に記載の如く、単体のコネクタにスイッチやヒューズ等の機能を付加可能な多目的コネクタや、また特許文献３に記載の如く、通信機器の増設に応じて単に主幹ブレーカ１８を積み重ねて対応できるに過ぎない分電盤が知られていても、将来のシステム拡大を見据えた電子機器の様々な実装計画（順序）に合わせて、その当初より常に整然とした効率良い給電システムを構築することは容易ではない。
【００１０】
本発明は上記従来技術の問題点に鑑みなされたもので、その目的とする所は、電子機器の様々な実装計画（順序）に合わせて、その当初より常に整然とした効率良い給電システムを柔軟に構築可能な複数電源供給方式を提供することにある。
【課題を解決するための手段】
【００１１】
上記の課題は例えば図２の構成により解決される。即ち、本発明（１）の複数電源供給方式は、自ブロック下面のプラグ２２で受けた複数系統の主電源ラインを自ブロック上面のソケット２１に導くと共に、該主電源ラインを自ブロック後面のソケット２７に導く主幹導体ブロック２０と、自ブロック前面のプラグ３３で受けた主電源ラインの一部を自ブロック後面のソケット３４に導くと共に、自ブロック後面の他のソケット３４及び自ブロック前面の他のプラグ３３からの電源ラインを自ブロック側面のアウトレット端子に導くアウトレットブロック３０と、自ブロック前面のプラグ４３に所定の回路機能を実現するための回路素子又は回路を接続した機能ブロック４０とを備え、複数の主幹導体ブロック２０をラック上方向に順次連結すると共に、その内の任意の主幹導体ブロック２０の後面よりアウトレットブロック３０及び機能ブロックを順次連結して、対応する段のラック搭載機器に給電可能に構成したものである。
【００１２】
本発明（２）では、上記本発明（１）において、主幹導体ブロック２０は、ラック標準規格の基準高さ１Ｕ（４４．４５ｍｍ）を単位とする任意整数倍の高さを有する。
【００１３】
本発明（３）では、上記本発明（１）において、例えば図１１又は図１４に示す如く、アウトレットブロック３０は、自ブロック前面のプラグ３３で受けた主電源ラインの一部を自ブロック後面のソケット３４に導くと共に、自ブロック後面の他のソケット３４及び自ブロック前面の他のプラグ３３からの電源ラインを自ブロック側面の第１の端子Ａに導く本体部３１と、アウトレット端子の電源ラインを自ブロック背面の第２の端子Ｂに導くアウトレット部３２／３５とを備え、前記本体部３１とアウトレット部３２／３５とが第１，第２の端子Ａ，Ｂ間のバネ接触を介して着脱自在に構成されている。
【００１４】
本発明（４）では、上記本発明（１）において、機能ブロックは、例えば図３又は図４に示す如く、アウトレットブロック３０の主電源ラインとアウトレット端子間に過電流遮断器（ＮＦＢ）を挿入する過電流遮断ブロック４０である。
【００１５】
本発明（５）では、上記本発明（１）において、機能ブロックは、例えば図４に示す如く、アウトレットブロック３０のグランドラインの接続を変更するグランド回路ブロック５６である。
【発明の効果】
【００１６】
本発明(１)によれば、主幹導体ブロック１０とアウトレットブロック３０とが分離していることにより、当初より通信機器等が搭載されない区間については、主幹導体ブロック１０のみで主電源ラインを効率よく延長できると共に、各通信機器の搭載位置では、ＡＣ入力やＤＣ入力等の機器仕様に応じて、アウトレットブロック３０と各種機能ブロックとを任意組み合わせることにより、電子機器の増設、変更にも柔軟に対応できる。従って、本発明（１）によれば、将来を見据えた電子機器の様々な実装計画（順序）に合わせて、その当初より常に整然とした効率良い給電システムを柔軟に構築可能である。
【００１７】
本発明（２）によれば、主幹導体ブロック２０は、ラック標準規格の基準高さ１Ｕ（４４．４５ｍｍ）を単位とする任意整数倍の高さを有するため、規格化されたサイズのルータなどを多数搭載したＩＤＣ(Internet Data Center)等の構築に最適である。
【００１８】
本発明（３）によれば、アウトレットブロック３０の本体部３１とアウトレット部３２／３５とが第１，第２の端子Ａ，Ｂ間のバネ接触を介して着脱自在に構成されているため、様々なタイプ・形状の入力電源を要求する電子機器に対して、プラグ変換アダプタ等を使用することなく、幅広い機器対応が可能となる。
【００１９】
本発明（４）によれば、アウトレットブロック３０に過電流遮断ブロック４０を接続することにより、必要な電子機器に対して過電流遮断機能を容易に付与できる。
【００２０】
本発明（５）によれば、アウトレットブロック３０にグランド回路ブロック５６を接続することにより、特に直流電源供給での信頼性向上に重要な例えば一点グランド方式又は多点グランド方式によるアースの安定供給を、後付け方式により安全かつ簡単に低コストで実現できる。
【発明を実施するための最良の形態】
【００２１】
以下、添付図面に従って本発明に好適なる実施の形態を詳細に説明する。なお 、全図を通して同一符号は同一又は相当部分を示すものとする。
【００２２】
図１は実施の形態によるラックの斜視図で、ＩＤＣ(Internet Data Center)等で使用する１９インチラックに複数の通信機器を搭載した場合を示している。図において、１００はラック、１０１はラック１００に複数の通信機器（ユニット）を搭載するためのユニット搭載用柱、２００は高さ１Ｕ（即ち，１．７５インチ，４４．２５ｍｍ）を１単位とするよう国際標準に規格化された通信機器（ルータ等）、１０は外部からの主電源（ＡＣ，ＤＣ，ＧＮＤ等）をラックに入力する電源入力ブロック、２０は入力した主電源をラック上方に導くと共に、後述のアウトレットブロックに分岐させる高さ１Ｕを単位とする主幹導体ブロック、３０は分岐した主電源をラック搭載機器２００に給電するためのアウトレットブロック、１２０はその電源ケーブル、４０はアウトレットブロック２０に過電流が流れるのを防止すべく、該ブロック２０に過電流遮断機能を付与する過電流遮断ブロック（ＮＦＢ）、５１はアウトレットブロック２０にコンデンサを接続するコンデンサブロック、５２はアウトレットブロック２０内の所定の回路を導通させるスルーブロック、５３は最上端の主幹導体ブロック２０を保護するための保護キャップ、５４は主幹導体ブロック２０や通信機器２００をユニット搭載用柱１０１に取り付け固定するための取付け金具である。
【００２３】
通信機器２００の搭載計画に合わせて主幹導体ブロック２０を順次結合・組立し、ユニット搭載用柱１０１の適宜の位置（例えば最下段、複数の中断及び最上段等）に取付け金具５４でネジ留め固定すると共に、通信機器２００毎に必要な各種機能ブロック３０，４
０等を付加・組合わせし、通信機器２００にＡＣ／ＤＣや各種機能を伴う給電を行う。なお、主幹導体ブロック２０は１Ｕの任意整数倍に構成することが可能であり、例えば図に５Ｕの主幹導体ブロック２０’を示す。
【００２４】
また、ネットワーク機器を設置するビルの接地方式としては、公知の電気設備技術基準に基づく接地方法や、ＪＩＳＣＯ３６４に基づく接地方法（共通接地，等電位ボンディング）が知られており、また、装置の一般的なグランド方式としては公知の多点グランド方式（Integrated Grounding）や、１点グランド方式（Isolated Grounding）が知られているが、本発明の給電方式はこれらのいずれにも柔軟に対応可能である。
【００２５】
図２に一例のブロック組立ての概要を示す。電源入力ブロック１０において、端子台１１の入力端子にＡＣ及び又はＤＣの外部電源及び各種グランドラインを接続し、該端子台１１の表面に絶縁性の保護キャップ（不図示）を取り付ける。入力電源はブロック１０内部の導体（以後、主電源を導くと言う意味で主幹導体とも呼ぶ）を介して隣接する主幹導体ブロック２０の入力端子に入力すると共に、ブロック１０の表面に設けたＡＣアウトレット１３やＤＣアウトレット１４にも導かれ、外部機器に給電可能となっている。
【００２６】
下段の主幹導体ブロック２０の上に他の主幹導体ブロック２０を挿入（接続）することで、主幹導体（主電源）がラック１００の上方向に順次延長される。その際には、各主幹導体ブロック２０のラッチ凸部２５とラッチ凹部１６とをラッチさせることで、両者間の接続を確実・安定なものにする。
【００２７】
更に、主幹導体ブロック２０の刃受け端子２７に例えばＡＣアウトレットブロック３０Ａを挿入することで、ＡＣ入力タイプのラック搭載機器２００にＡＣを給電可能となる。なお，図示しないが、主幹導体ブロック２０の刃受け端子２７にＤＣアウトレットブロック３０Ｄを挿入することで、ＤＣ入力タイプのラック搭載機器２００にＤＣを給電可能となる。そして、更に上記ＡＣアウトレットブロック３０Ａの刃受け端子３４に過電流遮断ブロック４０を挿入することで、該ＡＣアウトレットブロック３０Ａに過電流遮断（ＮＦＢ）機能を付与する。以下同様にして、各段の主幹導体ブロック２０に各種機能ブロックを組み合わせることで、各ラック搭載機器２００に様々な態様の給電が可能となる。
【００２８】
次に実施の形態によるいくつかのラック給電方式の例を具体的に説明する。図３，図４は実施の形態によるＡＣ／ＤＣ回路構成を示しており、ＡＣ入力とＤＣ入力の各通信機器が混在する場合の給電に適している。図３にＡＣ給電方式の例を示す。電源入力ブロック１０において、２系統分の給電路の一方の系統にはＡＣＵ，Ｖ及びフレームグランドＦＧを入力し、また他方の系統にはＤＣ−４８Ｖ，グランドＧ及びシグナルグランドＳＧを入力すると共に、各電源は複数の主幹導体ブロック２０を介してラック１００の上方に導かれる。
【００２９】
初段の給電部において、ＡＣアウトレットブロック３０ＡのＡＣアウトレット端子には主幹導体ブロック２０からのＡＣＵ，Ｖが隣接のＡＣスルーブロック５２Ａを介して供給され、またフレームグランド端子には主幹導体ブロック２０からのフレームグランドＦＧが直接に供給されている。その上段の給電部において、この例のＡＣアウトレット端子には主幹導体ブロック２０からのＡＣＵ，Ｖが隣接のＡＣ−ＮＦＢ４０Ａを介して供給されることで、このＡＣアウトレットブロック３０Ａには過電流遮断機能が付与されている。
【００３０】
図４にＤＣ給電方式の例を示す。初段の給電部において、ＤＣアウトレットブロック３０ＤのＤＣアウトレット端子−４８Ｖには主幹導体ブロック２０からのＤＣ−４８Ｖが隣接のＤＣスルーブロック５２Ｄを介して供給され、またグランド端子Ｇ及びシグナルグランド端子ＳＧは主幹導体ブロック２０からのグランドＧ及びシグナルグランドＳＧがそれ
ぞれ直接に供給されている。その上段の給電部において、この例のアウトレット端子ＤＣ−４８Ｖには主幹導体ブロック２０からのＤＣ−４８Ｖが隣接のＤＣ−ＮＦＢ４０Ｄを介して供給されることで、このＤＣアウトレットブロック３０Ｄには過電流遮断機能が付与されている。
【００３１】
更にその上段の給電部において、この例のＤＣアウトレット端子−４８Ｖとグランド端子Ｇとの間には隣接のコンデンサブロック５１を介してコンデンサ素子が接続されることで、ＤＣ電源の蓄電機能及びフィルタ機能が付与されている。更にその上段の給電部において、この例のＤＣアウトレットブロック３０Ｄのグランド端子Ｇとシグナルグランド端子ＳＧとは隣接のグランド回路ブロック５６Ｄによって互いに接続されている。
【００３２】
図５，図６は実施の形態によるＡＣ／ＡＣ回路構成を示しており、ＡＣ入力の各通信機器に給電する場合に適している。図５において、この電源入力ブロック１０には第１，第２のＡＣ電源（ＡＣＵ０，ＡＣＶ０，ＦＧ０）及び（ＡＣＵ１，ＡＣＶ１，ＦＧ１）が入力されている。初段給電部のＡＣアウトレットブロック３０Ａには第１のＡＣ電源から給電され、その上段給電部のＡＣアウトレットブロック３０Ａには第２のＡＣ電源から給電されている。図６において、各段のＡＣアウトレットブロック３０Ａにはそれぞれ隣接のＡＣ−ＮＦＢ４０Ａによって過電流遮断機能が付加されている。
【００３３】
図７，図８は実施の形態によるＤＣ／ＤＣ回路構成を示しており、ＤＣ入力の各通信機器に給電する場合に適している。図７において、電源入力ブロック１０の一方の系統にはＤＣ＋２４Ｖ、アースＥ及びフレームグランドＦＧが入力され、また他方の系統にはＤＣ−４８Ｖ、グランドＧ及びシグナルグランドＳＧが入力されていると共に、各系統のＤＣ電源は複数の主幹導体ブロック２０を介してラック１００の上方に導かれる。
【００３４】
初段の給電部において、ＤＣアウトレットブロック３０Ｄのアウトレット端子＋２４Ｖには主幹導体ブロック２０からのＤＣ＋２４Ｖが隣接のＤＣスルーブロック５２Ｄを介して供給されると共に、そのアース端子Ｅ及びシグナルグランド端子ＳＧには主幹導体ブロック２０からのアースＥ及びシグナルグランドＳＧがそれぞれ直接に供給されている。更に上段の給電部において、この例のアウトレット端子＋２４Ｖには主幹導体ブロック２０からのＤＣ＋２４Ｖが隣接のＤＣ−ＮＦＢ４０Ｄを介して供給されることで、このＤＣアウトレットブロック３０Ｄには過電流遮断機能が付与されている。また、図８の接続構成については上記図４の接続構成と同様である。
【００３５】
次に主幹導体ブロックやアウオトレットブロックを含む各種機能ブロックの詳細を説明する。図９，図１０は実施の形態による主幹導体ブロックの構成を示す図（１），（２）で、図１０に主幹導体ブロック２０の内部構造を示す。図（ａ）は刃受け端子２７を右方向に見た正面図、（ｂ）はその左側面図、（ｃ）は右側面図、（ｄ）は平面図、そして（ｅ）は底面図である。図に一例の寸法を付記する。主幹導体ブロック２０の高さは１Ｕ（＝４４．４５ｍｍ）を単位として任意整数倍に構成可能である。
【００３６】
主幹導体ブロック２０は、絶縁性ケース内で２系統の主幹導体２８Ａを上下方向に平行に配置し、主幹導体２８Ａの下端側をブロックより突出させて凸状導体端子２２（本発明ではプラグと呼ぶ）となすと共に、その上端側には凹状のバネ性金属受け端子２１（本発明ではソケットと呼ぶ）を設けている。この例の導体端子２２はその断面が正方形状をなし、一方、これに嵌合するバネ性受け端子２１は導体端子２２をバネ性の金属端子で４方向から接触（圧接）するような構造となっている。
【００３７】
一例の主幹導体２８Ａは断面積の大きい系統１と、断面積の小さい系統２とを備えており、例えば系統１は定格電流の大きいＤＣ用に、また系統２は定格電流の小さいＡＣ用に
使い分ける。なお、主幹導体２８Ａの定格電流を増／減するには、断面正方形のまま断面積を増／減させても良いが、主幹導体２８Ａの例えば断面寸法ａの側のみを延長／縮小することで、主幹導体ブロック２０の厚みを変えずに、断面積を容易に変更できる。
【００３８】
更に、各主幹導体２８Ａより図（ｄ）の右方向に金属導体（以下、分岐導体とも呼ぶ）２８Ｂを分岐させ、これらの先端部にアウトレットブロック３０の凸状導体端子３３と接触・嵌合するための凹状の刃受けバネ形状接触子２７（本発明ではソケットと呼ぶ）を設けている。この例では、図の上３つはＤＣ用端子２７Ｄ、下３つはＡＣ用端子２７Ａとして使用している。
【００３９】
図９に主幹導体ブロック２０の外観斜視図を示す。基本的には高さ１Ｕの主幹導体ブロック２０を積み重ねることで主幹導体（主電源）を任意長さに延長可能となっている。具体的には、下側ブロック上面の位置固定用穴２４に上側ブロック下面の位置固定用ピン２３を位置合わせして挿入することにより、導体端子２２がバネ性受け端子２１に挿入され、やがて、ラッチ凸部２５がラッチ凹部２６にラッチしたところで、確実な接続が得られる。
【００４０】
図１１〜図１３は実施の形態によるＡＣアウトレットブロックの構成を示す図（１）〜（３）で、図１１にＡＣアウトレットブロック３０Ａの外観斜視図を示す。図において、３１はアウトレットブロックの本体部、３２はＡＣアウトレット部、３３は主幹導体ブロック２０に挿入するための凸状の導体端子（本発明ではプラグと呼ぶ）、３４は背後より各種機能ブロックを挿入するための凹状の刃受けバネ導体端子（本発明ではソケットと呼ぶ）、３６は主幹導体ブロック２０にラッチするためのラッチ凸部、３７は各種機能ブロックを受け止めるためのラッチ凹部である。
【００４１】
アウトレットブロック３０は本体部３１とアウトレット部３２とを着脱自在に構成することで、様々な形態・構造のアウトレット部３２を交換可能になっている。図１１（ｂ）に本体部３１とＡＣアウトレット部３２を分離した状態の外観斜視図を示す。本体部３１の各端子ＡとＡＣアウトレット部３２の各端子Ｂとをバネ接触させることでＡＣ主電源及びグランドの導通を図っている。様々な形態のＡＣアウトレット部３２を用意することにより、プラグ変換アダプタを使用することなく、幅広い機器対応が可能となる。
【００４２】
図１２にＡＣアウトレットブロック３０Ａの内部構造を示す。図の（ａ）は正面図、（ｂ）はその左側面図、（ｃ）は右側面図、そして、（ｄ）は平面図である。ＡＣアウトレットブロック３０Ａの高さは１Ｕ（＝４４．４５ｍｍ）を単位として構成されている。
【００４３】
絶縁体ケース内部に複数の導体３６が埋設されており、各導体３６の一方を本体部３１から突出させて凸状導体端子３３となすと共に、他方には各種機能ブロックと接触・嵌合するための凹状の刃受けバネ形状接触子３４を設けている。
【００４４】
この例のＡＣアウトレットブロック３０Ａは主幹導体ブロック２０の下側系統のＡＣＵ，Ｖ及び共通のＦＧを受取るようになっている。ＡＣ入力Ｕ，Ｖは一旦刃受け端子２４（即ち、次段の機能ブロック）を経由してからアウトレット端子Ｕ，Ｖに接続しており、フレームグランドＦＧは刃受け端子２４に導かれると共にアウトレット端子ＦＧにも接続している。
【００４５】
図１３は他の例のＡＣアウトレットブロック３０Ａの内部構造を示し、ここでは主幹導体ブロック２０の上側系統からＡＣＵ，Ｖ及び共通のＦＧを受取るようになっている。好ましくは、上記の様な各ＡＣ／ＤＣアウトレット部３２を電源の接続系統等に応じて色分けすることにより電源系統の識別が容易となる。
【００４６】
図１４〜図１６は実施の形態によるＤＣアウトレットブロックの構成を示す図（１）〜（３）で、図１４にＤＣアウトレットブロック３０Ｄの外観斜視図を示す。図において、３１はアウトレットブロックの本体部、３５はＤＣアウトレット部、３３は凸状の導体端子、３４は凹状の刃受けバネ導体端子、３６はラッチ凸部、３７はラッチ凹部である。
【００４７】
図１４（ｂ）に本体部３１とＤＣアウトレット部３５を分離した状態の外観斜視図を示す。本体部３１の各端子ＡとＤＣアウトレット部３５の各端子Ｂとをバネ接触させることでＤＣ主電源及びグランドの導通を図っている。
【００４８】
図１５にＤＣアウトレットブロック３０Ｄの内部構造を示す。図の（ａ）は正面図、（ｂ）はその左側面図、（ｃ）は右側面図、そして（ｄ）は平面図である。ＤＣアウトレットブロック３０Ｄの高さは通常は１Ｕ（＝４４．４５ｍｍ）を単位として構成される。この例のＤＣアウトレットブロック３０Ｄは主幹導体ブロック２０の上側系統のＤＣ−４８Ｖ，Ｇ，ＳＧと共通のＦＧを受取るようになっており、その内のＤＣ入力−４８Ｖは一旦刃受け端子３４（即ち、次段の機能ブロック）を経由してからアウトレット端子−４８Ｖに接続するよう構成されており、またＧ，ＳＧはそれぞれ刃受け端子２４に導かれると共にアウトレット端子Ｇ，ＳＧにも接続している。
【００４９】
図１６に他の例のＤＣアウトレットブロック３０Ｄの内部構造を示す。ここでは主幹導体ブロック２０の下側系統からＤＣ−４８Ｖ，Ｇ，ＳＧ及び共通のＦＧを受取るようになっている。好ましくは、上記のアウトレット部３５を主電源の接続系統等に応じて色分けすることにより電源系統の識別が容易となる。
【００５０】
図１７に過電流遮断ブロック４０の構成を示す。図において、４１は内部の過電流遮断器に連動するマニュアルスイッチ部で、該スイッチ部４１をＯＮ側にすることで過電流遮断機能が作動可能となり、また実際に過電流が検出されて回路が遮断されると該スイッチ部４１はＯＦＦになる。また、４３はアウトレットブロック３０に挿入するための凸状の導体端子、４６はアウトレットブロック３０のラッチ凹部３７にラッチするためのラッチ凸部である。
【００５１】
なお、図示しないが、その他の各種機能ブロックとして、アウトレットブロック３０にコンデンサを挿入するコンデンサブロック５１、スルーブロック５２又はグランド種別の切替を行うグランド回路ブロック５６がある。これらの機能ブロックの構造については図３〜図８について上述した回路構成から容易に推察できる。
【００５２】
図１８は他の例の過電流遮断ブロックの構成を示す図で、図の（ａ）に過電流遮断ブロ４０’をＤＣアウトレットブロック３０Ｄに挿入する前の状態を示す。この状態ではＤＣアウトレットブロック３０Ｄの刃受け端子３４ａが下段の刃受け端子３４ｂと導通しており、これにより、ＤＣスルーブロック５２Ｄを挿入していなくても、主電源ＤＣ−４８Ｖがアウトレット端子−４８Ｖに出力されている。図の右側にＡ部の拡大図を示す。この過電流遮断ブロック４０’の導体端子４３’は刃状導体の下側が絶縁体で覆われている。
【００５３】
図の（ｂ）は過電流遮断ブロ４０’をＤＣアウトレットブロック３０Ｄに挿入した後の状態を示しており、この状態ではＤＣアウトレットブロック３０Ｄに過電流保護機能が付与されている。図の右側にＢ部の拡大図を示す。この状態では導体端子４３’の絶縁作用により刃受け端子３４ａの上半部と下半部との間の導通が遮断されると共に、過電流遮断ブロック４０’の過電流遮断機能が付与されている。
【００５４】
なお、上記本発明に好適なる実施の形態を述べたが、本発明思想を逸脱しない範囲内で
各部の構成及びこれらの組み合わせの様々な変更が行えることは言うまでも無い。
【００５５】
（付記１）  自ブロック下面のプラグで受けた複数系統の主電源ラインを自ブロック上面のソケットに導くと共に、該主電源ラインを自ブロック後面のソケットに導く主幹導体ブロックと、自ブロック前面のプラグで受けた主電源ラインの一部を自ブロック後面のソケットに導くと共に、自ブロック後面の他のソケット及び自ブロック前面の他のプラグからの電源ラインを自ブロック側面のアウトレット端子に導くアウトレットブロックと、自ブロック前面のプラグに所定の回路機能を実現するための回路素子又は回路を接続した機能ブロックとを備え、複数の主幹導体ブロックをラック上方向に順次連結すると共に、その内の任意の主幹導体ブロックの後面よりアウトレットブロック及び機能ブロックを順次連結して、対応する段のラック搭載機器に給電可能に構成したことを特徴とする複数電源供給方式。
【００５６】
(付記２）  主幹導体ブロックは、ラック標準規格の基準高さ１Ｕ（４４．４５ｍｍ）を単位とする任意整数倍の高さを有することを特徴とする付記１記載の複数電源供給方式。
【００５７】
(付記３）  主幹導体ブロックは、自ブロックの下面から上面に展開する主電源ラインを系統毎に異なる断面積の主幹導体で導くように構成されていることを特徴とする付記１記載の複数電源供給方式。
【００５８】
(付記４）  各主幹導体は、その断面視形状が矩形であると共に、電流容量の大／小に応じて自ブロックの前面又は後面に垂直な方向の辺の長さが他の辺と比べて増／減されていることを特徴とする付記３記載の複数電源供給方式。
【００５９】
(付記５）  アウトレットブロックは、自ブロック前面のプラグで受けた主電源ラインの一部を自ブロック後面のソケットに導くと共に、自ブロック後面の他のソケット及び自ブロック前面の他のプラグからの電源ラインを自ブロック側面の第１の端子に導く本体部と、アウトレット端子の電源ラインを自ブロック背面の第２の端子に導くアウトレット部とを備え、前記本体部とアウトレット部とが第１，第２の端子間のバネ接触を介して着脱自在に構成されていることを特徴とする付記１記載の複数電源供給方式。
【００６０】
(付記６）  アウトレット部の一部又は全部が給電する電源系統別に色分けされいることを特徴とする付記５記載の複数電源供給方式。
【００６１】
(付記７）  機能ブロックは、アウトレットブロックの主電源ラインとアウトレット端子間に過電流遮断器を挿入する過電流遮断ブロックであることを特徴とする付記１記載の複数電源供給方式。
【００６２】
(付記８）  機能ブロックは、アウトレットブロックのアウトレット端子間にコンデンサを接続するコンデンサブロックであることを特徴とする付記１記載の複数電源供給方式。
【００６３】
(付記９）  機能ブロックは、アウトレットブロックのグランドラインの接続を変更するグランド回路ブロックであることを特徴とする付記１記載の複数電源供給方式。
【００６４】
(付記１０）  アウトレットブロックのバネソケットに２回路を接続して両回路を短絡させると共に、機能ブロックのプラグの一面を絶縁体でカバーして、該プラブの挿入により前記２回路の接続を切断可能に構成したことを特徴とする付記１記載の複数電源供給方式。
【図面の簡単な説明】
【００６５】
【図１】実施の形態によるラックの斜視図である。
【図２】実施の形態によるブロック組立ての概要を示す図である。
【図３】実施の形態によるＡＣ／ＤＣ回路構成を示す図（１）である。
【図４】実施の形態によるＡＣ／ＤＣ回路構成を示す図（２）である。
【図５】実施の形態によるＡＣ／ＡＣ回路構成を示す図（１）である。
【図６】実施の形態によるＡＣ／ＡＣ回路構成を示す図（２）である。
【図７】実施の形態によるＤＣ／ＤＣ回路構成を示す図（１）である。
【図８】実施の形態によるＤＣ／ＤＣ回路構成を示す図（２）である。
【図９】実施の形態による主幹導体ブロックの構成を示す図（１）である。
【図１０】実施の形態による主幹導体ブロックの構成を示す図（２）である。
【図１１】実施の形態によるＡＣアウトレットブロックの構成を示す図（１）である。
【図１２】実施の形態によるＡＣアウトレットブロックの構成を示す図（２）である。
【図１３】実施の形態によるＡＣアウトレットブロックの構成を示す図（３）である。
【図１４】実施の形態によるＤＣアウトレットブロックの構成を示す図（１）である。
【図１５】実施の形態によるＤＣアウトレットブロックの構成を示す図（２）である。
【図１６】実施の形態によるＤＣアウトレットブロックの構成を示す図（３）である。
【図１７】実施の形態による過電流遮断ブロックの構成を示す図である。
【図１８】実施の形態による他の例の過電流遮断ブロックの構成を示す図である。
【符号の説明】
【００６６】
１０  電源入力ブロック
２０  主幹導体ブロック
３０  アウトレットブロック
４０  過電流遮断ブロック（ＮＦＢ）
５１  コンデンサブロック
５２  スルーブロック
５３  保護キャップ
５４  取付け金具
１００  ラック
１０１  ユニット搭載用柱
１２０  電源ケーブル
２００  通信機器
【図１】
2005184993.tif 000003
【図２】
2005184993.tif 000004
【図３】
2005184993.tif 000005
【図４】
2005184993.tif 000006
【図５】
2005184993.tif 000007
【図６】
2005184993.tif 000008
【図７】
2005184993.tif 000009
【図８】
2005184993.tif 000010
【図９】
2005184993.tif 000011
【図１０】
2005184993.tif 000012
【図１１】
2005184993.tif 000013
【図１２】
2005184993.tif 000014
【図１３】
2005184993.tif 000015
【図１４】
2005184993.tif 000016
【図１５】
2005184993.tif 000017
【図１６】
2005184993.tif 000018
【図１７】
2005184993.tif 000019
【図１８】
2005184993.tif 000020